(57)【要約】【課題】迅速に、かつ簡単な操作で多様な落書き入力を行うことができるようにする。【解決手段】モニタ２６上の画面右側には、撮影画像１２１が表示され、撮影画像１２１の下側に、ユーザが落書き入力に使用する「フレーム」ボタン１６１、「スタンプ」ボタン１２４、「オーロラスタンプ」ボタン１４１などの落書き項目が表示されている。制御装置は、そのなかから始めに「スタンプ」メニューを表示する。そして、制御装置は、「スタンプ」の絵柄、サイズ、色などの詳細な落書き項目を順番に画面に表示して、ユーザに選択させる。ユーザは、順番に表示される落書き項目を選択していけばよいので、短時間で簡単に様々な種類の落書きを行うことができる。本発明は、写真シール販売機に適用することができる。【選択図】　　　図１２
2004134921.tif 000002
【特許請求の範囲】
【請求項１】
被写体を撮影する撮影手段と、
前記撮影手段により撮影された前記被写体の画像と、前記被写体の前記画像に対して入力する落書きの種類を選択するための落書き項目の表示を制御する表示制御手段と、
複数の前記落書き項目のなかから所望の前記落書き項目を選択し、落書きを入力する入力手段と、
前記表示制御手段により制御されて出力された映像を表示する表示手段と
を備え、
複数の前記落書き項目のそれぞれは、２つ以上の階層に分類され、前記表示制御手段は、所定の前記落書き項目について、時間の経過とともに、より下位の階層の落書き項目を順番に表示するように制御する
ことを特徴とする写真シール販売機。
【請求項２】
所定の前記落書き項目の、より下位の階層の落書き項目を表示する場合、前記表示制御手段は、落書き入力の使用状態に基づいて、表示する階層の数を増減する
ことを特徴とする請求項１に記載の写真シール販売機。
【請求項３】
前記表示制御手段は、複数の前記落書き項目と、その下位の階層の落書き項目を選択した回数のカウント数に基づいて、前記使用状態を判定する
ことを特徴とする請求項２に記載の写真シール販売機。
【請求項４】
前記表示制御手段は、予め設定した所定の時間が経過したとき、前記落書き項目のうちの所定のものを識別表示させる
ことを特徴とする請求項１に記載の写真シール販売機。
【請求項５】
前記表示制御手段は、複数の前記落書き項目を表示する順番を指定するための指定情報の表示を制御する
ことを特徴とする請求項１に記載の写真シール販売機。
【請求項６】
前記順番が指定されたとき、前記表示制御手段は、複数の前記落書き項目のそれぞれの落書き入力時間を、最初に表示する前記落書き項目については多く、２番目以降に表示する前記落書き項目については少なく配分する
ことを特徴とする請求項５に記載の写真シール販売機。
【請求項７】
複数の前記落書き項目のなかから所定の前記落書き項目が選択されると、前記表示制御手段は、選択された所定の前記落書き項目の下位の階層の複数の落書き項目を決定し、表示するように制御する
ことを特徴とする請求項１に記載の写真シール販売機。
【請求項８】
前記表示制御手段は、下位の階層の複数の前記落書き項目を、最新の前記落書き項目の順番の表示となるように制御する
ことを特徴とする請求項７に記載の写真シール販売機。
【請求項９】
前記表示制御手段は、下位の階層の複数の前記落書き項目を、最も使用頻度が高い前記落書き項目の順番の表示となるように制御する
ことを特徴とする請求項７に記載の写真シール販売機。
【請求項１０】
前記入力手段により落書きが施された画像を印刷媒体に印刷する印刷手段をさらに備える
ことを特徴とする請求項１に記載の写真シール販売機。
【請求項１１】
被写体を撮影し、
撮影された前記被写体の画像に対して入力する落書きの種類を選択するための落書き項目を表示し、
複数の前記落書き項目のそれぞれは、２つ以上の階層に分類され、所定の落書き項目について、時間の経過とともに、より下位の階層の落書き項目を順番に表示する
ことを特徴とする写真シール販売機における写真シール印刷方法。
【請求項１２】
被写体を撮影する撮影手段と、
前記撮影手段により撮影された前記被写体の画像と、前記被写体の前記画像に対して入力する落書きの種類を選択するための落書き項目の表示を制御する表示制御手段と、
複数の前記落書き項目のなかから所望の落書き項目を選択し、落書きを入力する入力手段と、
前記表示制御手段により制御されて出力された映像を表示する表示手段と
を有し、
複数の前記落書き項目のそれぞれは、２つ以上の階層に分類され、前記表示制御手段は、所定の落書き項目について、時間の経過とともに、より下位の階層の落書き項目を順番に表示するように制御する
写真シール販売機において使用される印刷媒体ユニットであって、
前記印刷媒体ユニットを識別する識別情報を記憶する識別情報記憶手段を備え、
前記識別情報記憶手段により記憶されている前記識別情報が前記写真シール販売機により認証されたとき使用可能とされる
ことを特徴とする印刷媒体ユニット。
【発明の詳細な説明】
【０００１】
【発明の属する技術分野】
本発明は、写真シール販売機、写真シール印刷方法、並びに印刷媒体ユニットに関し、特に、迅速に、かつ簡単な操作で多様な落書き入力ができるようにする写真シール販売機、写真シール印刷方法、並びに印刷媒体ユニットに関する。
【０００２】
【従来の技術】
従来、ユーザの画像を撮影し、これを予め用意されたフレーム画像と合成してシール紙などに印刷して提供する、いわゆる「プリント倶楽部（登録商標）」などの写真シール販売機が知られている。
【０００３】
この写真シール販売機の中には、撮影後、ユーザが、撮影により得られた画像上に付属のペン（入力ペン）で任意の文字や図形などを落書きする（編集する）ことができるようになされているものも存在する。ユーザは、このような落書き機能を使用して、シール紙に印刷される画像を、よりオリジナリティのあるものにすることができる（例えば、特許文献１参照）。
【０００４】
最近では、娯楽性を高めるために、入力ペンやスタンプなどの落書き項目（アイテム、メニューなどとも称される）が、数多く用意されている。ユーザは、はじめに、これらの落書き項目の中から、所望の落書き項目を選択する。そして、ユーザは、その選択した落書き項目について、太さ、大きさ、形、または色などの詳細な設定をさらに選択する。このように、ユーザが選択しなければならない落書き項目は、多種多様になってきている。
【０００５】
【特許文献１】
特開２０００−６９４０４号公報
【０００６】
【発明が解決しようとする課題】
しかしながら、その選択肢の多さのために落書きの編集作業は、手間がかかるものとなり、ユーザは、使用したい落書き項目を充分に使うことができなかったり、落書きの作業時間が不足するという課題があった。
【０００７】
本発明は、このような状況に鑑みてなされたものであり、迅速に、かつ簡単な操作で多様な落書き入力を行うことができるようにするものである。
【０００８】
【課題を解決するための手段】
本発明の写真シール販売機は、被写体を撮影する撮影手段と、撮影手段により撮影された被写体の画像と、被写体の画像に対して入力する落書きの種類を選択するための落書き項目の表示を制御する表示制御手段と、複数の落書き項目のなかから所望の落書き項目を選択し、落書きを入力する入力手段と、表示制御手段により制御されて出力された映像を表示する表示手段とを備えることを特徴とする。このとき、複数の落書き項目のそれぞれは、２つ以上の階層に分類され、表示制御手段は、所定の落書き項目について、時間の経過とともに、より下位の階層の落書き項目を順番に表示するように制御する。
【０００９】
この撮影手段は、例えば、デジタルカメラなどの撮影装置により構成され、表示制御手段は、例えば、ＣＰＵ（Ｃｅｎｔｒａｌ　Ｐｒｏｃｅｓｓｉｎｇ　Ｕｎｉｔ）により構成される。入力手段は、例えば、落書きペン、タッチパネルなどにより構成され、表示制御手段は、例えば、ＬＣＤ（Ｌｉｑｕｉｄ　Ｃｒｙｓｔａｌ　Ｄｉｓｐｌａｙ），ＣＲＴ（Ｃａｔｈｏｄｅ　Ｒａｙ　Ｔｕｂｅ）などにより構成される。
【００１０】
所定の落書き項目の、より下位の階層の落書き項目を表示する場合、表示制御手段には、落書き入力の使用状態に基づいて、表示する階層の数を増減させるようにすることができる。
【００１１】
例えば、使用頻度の少ないユーザには、下位の落書き項目の階層を減らし、使用頻度の多いユーザには、下位の落書き項目の階層を増やしたりする。
【００１２】
表示制御手段には、複数の落書き項目と、その下位の階層の落書き項目を選択した回数のカウント数に基づいて、使用状態を判定させるようにすることができる。
【００１３】
表示制御手段には、予め設定した所定の時間が経過したとき、落書き項目のうちの所定のものを識別できるよう表示させるようにすることができる。
【００１４】
例えば、所定の落書き項目を点滅表示させるようにしたり、赤枠で囲むように表示させるようにしたり、矢印で指定して表示させるようにすることができる。
【００１５】
表示制御手段には、複数の落書き項目を表示する順番を指定するための指定情報の表示を制御させることができる。
【００１６】
例えば、「ペン⇒スタンプ⇒フレーム」、「ペン⇒フレーム⇒スタンプ」、または、「スタンプ⇒ペン⇒フレーム」などの順番を指定したりすることができる。なお、落書き項目の種類と順番は、この例に限らず、他の落書き項目や順番でもよい。
【００１７】
順番が指定されたとき、表示制御手段には、複数の落書き項目のそれぞれの落書き入力時間を、最初に表示する落書き項目については多く、２番目以降に表示する落書き項目については少なく配分させることができる。
【００１８】
例えば、上述の「ペン⇒スタンプ⇒フレーム」の場合、「ペン」の落書き入力時間を６０秒、「スタンプ」、および「フレーム」の落書き入力時間を３０秒とさせる。
【００１９】
複数の落書き項目のなかから所定の落書き項目が選択されると、表示制御手段には、選択された所定の落書き項目の下位の階層の複数の落書き項目を決定し、表示するように制御させることができる。
【００２０】
例えば、「ペン」が選択されると、「水玉」と「赤色」を決定させる。
【００２１】
表示制御手段には、下位の階層の複数の落書き項目を、最新の落書き項目の順番の表示となるように制御させることができる。
【００２２】
表示制御手段には、下位の階層の複数の落書き項目を、最も使用頻度が高い落書き項目の順番の表示となるように制御させることができる。
【００２３】
本発明の写真シール販売機には、入力手段により落書きが施された画像を印刷媒体に印刷する印刷手段をさらに備えるようにすることができる。
【００２４】
印刷手段は、例えば、プリンタなどにより構成される。
【００２５】
印刷媒体は、例えば、所定の枚数のシールからなるシール紙とされる。このシール紙は、それぞれが等しい大きさのシールからなるシートとすることもできるし、様々な大きさのシールからなるシートとすることもできる。当然、１枚の大きなシールであってもよい。なお、印刷媒体は、シール紙に限定されるものではなく、紙であってもよいし、例えば、テレホンカードなどのカード、Ｔシャツなどの布地、熱転写シール、または大型ポスターなどであってもよい。
【００２６】
本発明の写真シール販売機における写真シール印刷方法は、被写体を撮影し、撮影された被写体の画像に対して入力する落書きの種類を選択するための落書き項目を表示し、複数の落書き項目のそれぞれは、２つ以上の階層に分類され、所定の落書き項目について、時間の経過とともに、より下位の階層の落書き項目を順番に表示する。
【００２７】
本発明の写真シール販売機および写真シール印刷方法においては、被写体が撮影され、撮影された被写体の画像と、被写体の画像に対して入力する落書きの種類を選択するための落書き項目が表示され、複数の落書き項目のなかから所望の落書き項目が選択され、落書きが入力される。そして、落書きされた映像が表示される。このとき、複数の落書き項目のそれぞれは、２つ以上の階層に分類され、所定の落書き項目について、時間の経過とともに、より下位の階層の落書き項目が順番に表示される。
【００２８】
したがって、本発明によれば、ユーザは、迅速に、かつ簡単な操作で多様な落書き入力ができる。
【００２９】
本発明の印刷媒体ユニットは、被写体を撮影する撮影手段と、撮影手段により撮影された被写体の画像と、被写体の画像に対して入力する落書きの種類を選択するための落書き項目の表示を制御する表示制御手段と、複数の落書き項目のなかから所望の落書き項目を選択し、落書きを入力する入力手段と、表示制御手段により制御されて出力された映像を表示する表示手段とを備えることを有し、複数の落書き項目のそれぞれは、２つ以上の階層に分類され、表示制御手段は、所定の落書き項目について、時間の経過とともに、より下位の階層の落書き項目を順番に表示するように制御する写真シール販売機において使用される印刷媒体ユニットであって、印刷媒体ユニットを識別する識別情報を記憶する識別情報記憶手段を備え、識別情報記憶手段により記憶されている識別情報が写真シール販売機により認証されたとき使用可能とされることを特徴とする。
【００３０】
識別情報記憶手段は、例えば、ＩＣタグ（制御タグ）、ＩＣカード等のメモリにより構成され、識別情報としての固有のＩＤを記憶する。
【００３１】
このように、識別情報が認証されたときにのみ印刷媒体ユニットが使用可能とされることにより、本発明の写真シール販売機に対して生産されたユニットのみが使用可能となり、いわゆる純正品以外のものが使用されることを抑制することができる。また、印刷媒体ユニットにバーコードなどが付されている場合、そのバーコードにより、純正品であるか否かを判断させるようにしてもよい。
【００３２】
【発明の実施の形態】
図１は、本発明を適用した写真シール販売機１の構成例を示す斜視図である。
【００３３】
写真シール販売機１の筐体１１の正面の上側半分の垂直な面１１ａのほぼ中央には、ＣＣＤ（Ｃｈａｒｇｅ　Ｃｏｕｐｌｅｄ　Ｄｅｖｉｃｅ），ＣＭＯＳ（Ｃｏｍｐｌｅｍｅｎｔａｒｙ　Ｍｅｎｔａｌ　Ｏｘｉｄｅ　Ｓｅｍｉｃｏｎｄｕｃｔｏｒ）などの撮像素子からなる小型のカメラ２１が設けられており、ユーザは、カメラ２１を好みの角度に調節し、撮影を行うことができる。また、面１１ａのカメラ２１の右側と左側には、照明装置２２Ｒと照明装置２２Ｌが設けられている。照明装置２２Ｒと照明装置２２Ｌは、内部に発光体（フラッシュ）を有しており、ユーザから撮影の開始が指示され、カメラ２１が取り込む画像を静止画像として記憶するとき（キャプチャするとき）、そのタイミングに合わせて、被写体を照明する。なお、以下において、照明装置２２Ｒと照明装置２２Ｌを特に区別する必要がない場合、照明装置２２と称する。
【００３４】
筐体１１の正面の垂直な面１１ａの下方のやや上向きの面１１ｃの中央には、例えば、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）などよりなるモニタ２６が設置されている。モニタ２６は、カメラ２１により撮影された静止画像や、スタンプ、フレームなどの落書き項目（以下、メニューとも称する）を表示する。モニタ２６の左右には、ユーザが落書きを入力したり、落書きのメニューを選択したりするための落書きペン２５ａ，２５ｂが設置されている。
【００３５】
また、筐体１１の右側面１１ｂの下方右側には、シール取り出し口２３が設けられている。撮影され、落書き（編集）等が施された画像が、所定の数だけ、所定の大きさでシール紙に印刷され、得られたシール紙がシール取り出し口２３から排出される。筐体１１の右側面１１ｂの下方左側には、コイン投入口２４が設けられている。ユーザは、写真シール販売機１を利用して撮影するとき、所定の代金をコイン投入口２４に投入する。
【００３６】
図２は、図１の写真シール販売機１の内部の構成例を示すブロック図である。
【００３７】
制御装置４１は、記憶装置４２に記憶されているプログラム、または、記憶装置４２から内部のメモリ（図示せず）にロードされたプログラムに従って、写真シール販売機１の全体の動作を制御する。制御装置４１は、例えば、パーソナルコンピュータなどにより構成することができる。
【００３８】
また、記憶装置４２には、ドライブ５００も接続されている。ドライブ５００には、必要に応じて磁気ディスク５０１（フロッピディスクを含む）、光ディスク５０２（ＣＤ−ＲＯＭ（Ｃｏｍｐａｃｔ　Ｄｉｓｋ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む）、光磁気ディスク５０３（ＭＤ（Ｍｉｎｉ−Ｄｉｓｋ）を含む）、および、半導体メモリ５０４が装着され、データの授受を行う。
【００３９】
コイン投入部４３は、ユーザにより所定の代金がコイン投入口２４に投入されたとき、それを検出し、制御装置４１に通知する。照明装置２２は、カメラ２１により被写体が撮影するタイミングに合わせて、制御装置４１からの指示に基づいてフラッシュ光を出射する。
【００４０】
モニタ２６は、カメラ２１により撮影された落書き対象画像とともに、様々な落書きツールの選択ボタンなどを表示する。そして、モニタ２６は、ユーザにより落書きペン２５ａおよび２５ｂで書き込みがなされたとき、その入力に応じて生成した編集済みの画像を表示する。
【００４１】
入力部４４は、落書きペン２５ａおよび２５ｂなどにより構成される。落書きペン２５ａおよび２５ｂは、モニタ２６に積層されるタッチパネルの位置検出方式（例えば、抵抗膜式、超音波式など）に応じて構成される。
【００４２】
プリンタ４５は、シール紙ユニット４７に予め保存してあるシール紙４９を取得し、複数のシールが所定の位置、および大きさに配置されてなるシール紙４９に、編集済みの（落書きがなされた）画像を印刷する。プリンタ４５により印刷されたシール紙４９は、シール取り出し口２３に排出され、ユーザに提供される。
【００４３】
ＩＤタグリーダ／ライタ４６は、シール紙ユニット４７に付されているＩＤタグ４８に記憶されている識別情報を接触、または非接触により読み出し、制御装置４１に出力する。制御装置４１は、ＩＤタグリーダ／ライタ４６から供給された識別情報に基づいて、装着されているシール紙ユニット４７が、写真シール販売機１において利用可能なユニットであるか否かを判定し、利用可能なユニットであると判定したときのみ、プリンタ４５を動作可能にする。すなわち、制御装置４１により、写真シール販売機１において利用可能とされるシール紙ユニットの識別情報が管理されている。
【００４４】
これにより、写真シール販売機１に対応していない（純正のものでない）シール紙が利用されるのを抑制することができる。また、ＩＤタグ４８により、シール紙４９の残量等も管理される。なお、シール紙ユニット４７が純正のものであるか否かを、シール紙ユニット４７にプリントされているバーコード、シール紙とセットで利用されるＩＣカードなどにより確認させるようにしてもよいし、あるいは、シール紙ユニットの寸法、形状などにより、機械的に装填不可とすることで確認させるようにしてもよい。
【００４５】
シール紙ユニット４７は、写真シール販売機１から着脱可能になっており、内部にシール紙４９を装填し、また、ＩＤタグリーダ／ライタ４６がＩＤを読み取り可能な所定の位置に、ＩＤタグ４８が付されている。シール紙ユニット４７に付されているＩＤタグ４８には、個々のシール紙ユニット４７を識別する識別情報等を管理するＩＤが書き込まれている。なお、ＩＤタグ４８は、シール紙４９と一体にし、分離不可とするようにしてもよい。
【００４６】
次に、図３を参照して、写真シール販売機１の落書き項目（以下、落書きメニューとも称する）の階層構造について説明する。
【００４７】
図３は、落書きメニューの一例を示しているが、ユーザが落書きメニューを選択する場合、モニタ２６に最初に表示されるメニューの種類となる最上位の階層（以下、第１の階層と称する）には、「ペン」６１、「背景ブラシ」８１、および、「スタンプ」１０１などが配置されている。「ペン」６１の下位の階層（以下、第２の階層と称する）は、「水玉」６２、「プラスチック」６３、「ギザギザ」６４、および、「スプレー」６５などで構成されている。さらに、「水玉」６２の下位の階層（以下、第３の階層と称する）は、「赤」６６、「黄」６７、「緑」６８、および、「青」６９などで構成されている。
【００４８】
同様に、「背景ブラシ」８１の第２の階層は、「柄」８２および「ストライプ」８３で構成されている。そして、「柄」８２の第３の階層は、「星形（柄）」８４、「丸形（柄）」８５、「四角形（柄）」８６、および、「三角形（柄）」８７などで構成されている。「スタンプ」１０１の第２の階層は、「オーロラ」１０２、「のびのび」１０３、「虹色」１０４、および「風船回転」１０５などで構成されている。そして、「オーロラ」１０２の第３の階層は、「星形」１０６、「長丸形」１０７、「四角形」１０８、および、「三角形」１０９などで構成されている。また、第２の階層の「のびのび」１０３の下の第３の階層は、「ロボット」１１０、「飛行機」１１１、および「車」１１２などで構成されている。
【００４９】
このように、それぞれの落書き項目は、階層構造となっており、１つの落書き項目を選択すると、その次に、選択された落書き項目の下位の階層に有する落書き項目を表示していくことを落書き項目（メニュー）の階層表示と称する。
【００５０】
次に、図４と図５のフローチャートを参照して、写真シール販売機１の階層表示処理について説明する。
【００５１】
ステップＳ１において、制御装置４１は、コイン投入部４３からの出力に基づいて、コインが投入されたか否か、すなわち、撮影を開始するユーザがいるか否かを判定し、コインが投入されたと判定するまで待機する。
【００５２】
制御装置４１は、ステップＳ１において、コインが投入されたと判定した場合、ステップＳ２に進み、撮影処理を行う。その詳細は、図６と図７を参照して後述するが、この処理により、カメラ２１により撮影が行われ、撮影された画像（以下、撮影画像と称する）が、モニタ２６に表示される。
【００５３】
ステップＳ３において、制御装置４１は、ユーザが落書き入力を行う落書き処理全体の時間のカウントを開始する。この時間のカウントにより、落書き処理全体に対する残り時間（以下、残時間と称する）と、後述する１番目、２番目、または３番目の落書き項目単位に計算する時間とが管理される。落書き処理全体の時間は、例えば、１２０秒とすることができる。
【００５４】
ステップＳ４において、制御装置４１は、１番目の落書き項目階層表示処理を行う。なお、この例では、１番目の落書き項目として、制御装置４１は、第１の階層のなかから「スタンプ」を表示するものとする。１番目の落書き項目階層表示処理の詳細は、図８を参照して後述するが、この処理により、制御装置４１は、第２の階層として、スタンプの種類（ノーマルスタンプ、のびのびスタンプ、オーロラスタンプなど）、第３の階層として、サイズ（大、中、小など）、さらに第４の階層として、色（赤、黄、緑など）を順次、表示することにより、ユーザが下位の階層の落書き項目を容易に選択できるような処理を行う。
【００５５】
ステップＳ４で「スタンプ」メニューの詳細な落書き項目（使用する落書きの種類）が設定されたので、ステップＳ５において、制御装置４１は、ユーザの落書き入力を受け付ける。ここで、ユーザは、モニタ２６に表示された撮影画像に落書きペン２５ａまたは２５ｂにより落書き入力を行うことができる。
【００５６】
ステップＳ６において、制御装置４１は、残時間が０より大きい、すなわち、残時間をまだ有しているか否かを判定する。残時間がないと判定された場合、制御装置４１は、落書き入力を強制的に終了し、処理をステップＳ１８の印刷処理に進める。
【００５７】
ステップＳ６で、残時間を有していると判定された場合、制御装置４１は、処理をステップＳ７に進め、１番目の落書き項目（「スタンプ」メニュー）に対する経過時間が３０秒に達しているか否かを判定する。経過時間が３０秒に達していると判定された場合、制御装置４１は、処理をステップＳ９に進める。
【００５８】
一方、経過時間が３０秒に達していないと判定された場合、制御装置４１は、処理をステップＳ８に進め、ユーザによりモニタ２６上の「次へ」ボタン（図示せず）が押されたか否かを判定する。「次へ」ボタンが押されていない、と判定された場合、制御装置４１は、処理をステップＳ５に戻し、それ以降の処理を繰り返す。すなわち、ユーザによる「スタンプ」メニューでの落書き入力が継続される。
【００５９】
ステップＳ７で経過時間が３０秒に達していると判定された場合、または、ステップＳ８でユーザにより「次へ」ボタンが押されたと判定された場合、制御装置４１は、処理をステップＳ９に進める。ステップＳ９において、制御装置４１は、２番目の落書き項目階層表示処理を行う。制御装置４１は、２番目の落書き項目として、第１の階層のなかから「ペン」を表示する。この処理の詳細は、図８で後述する「スタンプ」の場合の処理と同様であるので、その説明は省略するが、制御装置４１は、第２の階層としてペンの種類（水玉、プラスチック、ギザギザ、スプレーなど）、第３の階層として色（赤、黄、緑、青など）を順次表示して、ユーザに「ペン」メニューの詳細な（下位の階層の）落書き項目を選択させる。
【００６０】
ステップＳ９で「ペン」メニューの詳細な落書き項目が設定されたので、ステップＳ１０において、制御装置４１は、上述のステップＳ５の処理と同様に、ユーザの落書き入力を受け付ける。
【００６１】
ステップＳ１１において、制御装置４１は、上述のステップＳ６の処理と同様に、残時間が０より大きい、すなわち、残時間をまだ有しているか否かを判定する。残時間がないと判定された場合、制御装置４１は、落書き入力を強制的に終了し、処理をステップＳ１８の印刷処理に進める。
【００６２】
ステップＳ１１で、残時間を有していると判定された場合、制御装置４１は、処理をステップＳ１２に進め、上述のステップＳ７の処理と同様に、２番目の落書き項目（「ペン」メニュー）に対する経過時間が６０秒に達しているか否かを判定する。経過時間が６０秒に達していると判定された場合、制御装置４１は、処理をステップＳ１４に進める。
【００６３】
一方、経過時間が３０秒に達していないと判定された場合、制御装置４１は、処理をステップＳ１３に進め、上述のステップＳ８の処理と同様に、ユーザによりモニタ２６上の「次へ」ボタンが押されたか否かを判定する。「次へ」ボタンが押されていないと判定された場合、制御装置４１は、処理をステップＳ１０に戻し、それ以降の処理を繰り返す。すなわち、ユーザによる「ペン」メニューでの落書き入力が継続される。
【００６４】
ステップＳ１２で経過時間が６０秒に達していると判定された場合、または、ステップＳ１３でユーザにより「次へ」ボタンが押されたと判定された場合、制御装置４１は、処理をステップＳ１４に進める。ステップＳ１４において、制御装置４１は、３番目の落書き項目階層表示処理を行う。制御装置４１は、３番目の落書き項目として、第１の階層のなかから「背景ブラシ」を表示する。この処理の詳細は、図８で後述する「スタンプ」の場合の処理と同様であるので、その説明は省略するが、制御装置４１は、第２の階層として背景ブラシの種類（柄、ストライプなど）、第３の階層として柄の種類（星形、丸形、四角形など）を順次、表示してユーザに「背景ブラシ」メニューの詳細な（下位の階層の）落書き項目を選択させる。
【００６５】
ステップＳ１４で「背景ブラシ」メニューの詳細な落書き項目が設定されたので、ステップＳ１５において、制御装置４１は、上述のステップＳ１０の処理と同様に、ユーザの落書き入力を受け付ける。
【００６６】
ステップＳ１６において、制御装置４１は、上述のステップＳ１１の処理と同様に、残時間が０より大きい、すなわち、残時間をまだ有しているか否かを判定する。残時間がないと判定された場合、制御装置４１は、落書き入力を強制的に終了し、処理をステップＳ１８の印刷処理に進める。
【００６７】
一方、残時間をまだ有していると判定された場合、制御装置４１は、処理をステップＳ１７に進め、上述のステップＳ１３の処理と同様に、ユーザによりモニタ２６上の「終了」ボタンが押されたか否かを判定する。「終了」ボタンが押されていない、と判定された場合、制御装置４１は、処理をステップＳ１５に戻し、それ以降の処理を繰り返す。すなわち、ユーザにより「背景ブラシ」メニューでの落書き入力が継続される。
【００６８】
ステップＳ１６で残時間がないと判定された場合、または、ステップＳ１７でユーザにより「終了」ボタンが押されたと判定された場合、制御装置４１は、処理をステップＳ１８に進める。ステップＳ１８において、制御装置４１は、印刷処理を行う。その詳細は、図１３を参照して後述するが、この処理により、撮影画像に落書き処理が施された画像データがプリンタ４５に転送され、シール紙４９に印刷されて処理を終了する。
【００６９】
次に、図６と図７のフローチャートを参照して、図４のステップＳ２において実行される撮影処理の詳細について説明する。
【００７０】
ステップＳ３１において、制御装置４１は、１枚のシール紙４９に印刷される、それぞれの画像の数や大きさを選択する分割数を設定する制限時間を計算するための、分割設定時間のカウントを開始する。
【００７１】
ステップＳ３２において、制御装置４１は、モニタ２６に分割数選択画面を表示する。ここで表示される分割数としては、例えば、２種類の大きさにより１枚のシール紙４９にそれぞれの画像が印刷される「混合分割」、全て同一の大きさで３０枚の画像が１枚のシール紙４９に印刷される「３０分割」、全て同一の大きさで１８枚の画像が１枚のシール紙４９に印刷される「１８分割」、および、全て同一の大きさで８枚の画像が１枚のシール紙４９に印刷される「８分割」の分割数などがある。
【００７２】
ステップＳ３３において、制御装置４１は、ユーザの分割数の指定をする操作を検出したか否かを判定する。ユーザは、分割数の指定をまだ行っていないと判定された場合、制御装置４１は、処理をステップＳ３４に進める。
【００７３】
ステップＳ３４において、制御装置４１は、ステップＳ３１からカウントを開始した時間（経過時間）が、制御装置４１の内部で所定の値に設定されている分割設定時間より大きいか否かが判定される。経過時間が分割設定時間以下であると判定された場合、制御装置４１は、処理をステップＳ３２に戻し、それ以降の処理を繰り返す、すなわち、分割数選択画面を表示したまま、ユーザが分割数の指定を行うまで待機する。
【００７４】
一方、ステップＳ３４で経過時間が分割設定時間より大きいと判定された場合、制御装置４１は、処理をステップＳ３５に進め、分割数をデフォルトの値、例えば、「１８分割」に決定する（自動設定する）。
【００７５】
ステップＳ３５の処理の後、または、ステップＳ３３でユーザによる分割数の指定を検出したと判定された場合、制御装置４１は、ステップＳ３６において、決定された分割数を内部のメモリに保存する。
【００７６】
ステップＳ３７において、制御装置４１は、分割設定時間のカウントをクリアし、撮影コース設定時間のカウントを開始する。
【００７７】
ステップＳ３８において、制御装置４１は、撮影コース選択画面をモニタ２６に表示させる。撮影コースは、例えば、「美白」モードや「ホラー」モードなど、さまざまなモードを試すことができる「おすすめコース」、「美白」モードを集めた「美白系コース」、「バックライト」モードや「ホラー」モードが試せる「楽しい系コース」、モードをユーザが選択できる「モード自由選択コース」などがある。
【００７８】
ステップＳ３９において、制御装置４１は、ユーザが撮影コースを選択したことを検出したか否かを判定する。ユーザは、撮影コースの選択をまだ行っていないと判定された場合、制御装置４１は、処理をステップＳ４０に進める。
【００７９】
ステップＳ４０において、制御装置４１は、ステップＳ３７からカウントを開始した時間（経過時間）が、制御装置４１の内部で所定の値に設定されている撮影コース設定時間より大きいか否かを判定する。経過時間が撮影コース設定時間以下であると判定された場合、制御装置４１は、処理をステップＳ３８に戻し、それ以降の処理を繰り返す、すなわち、撮影コースの選択画面を表示したまま、ユーザが撮影コースを選択するまで待機する。
【００８０】
一方、ステップＳ４０で経過時間が撮影コース設定時間より大きいと判定された場合、制御装置４１は、処理をステップＳ４１に進め、デフォルトの値、例えば、「おすすめコース」を選択する（自動設定する）。
【００８１】
ステップＳ４１の処理の後、または、ステップＳ３９でユーザによる撮影コースの選択を検出したと判定された場合、制御装置４１は、ステップＳ４２において、選択された撮影コースを内部のメモリに保存する。
【００８２】
ステップＳ４３において、制御装置４１は、撮影コース設定時間のカウントをクリアし、撮影設定時間のカウントを開始する。
【００８３】
ステップＳ４４において、制御装置４１は、モニタ２６上に撮影ボタン（図示せず）の押下案内を表示する。例えば、「撮影の準備ができたら、撮影ボタンを押してね！」のメッセージを表示する。
【００８４】
ステップＳ４５において、制御装置４１は、撮影ボタンの押下を検出したか否かを判定する。撮影ボタンの押下を検出していない、すなわち、ユーザは撮影ボタンをまだ押下していないと判定された場合、制御装置４１は、処理をステップＳ４６に進める。
【００８５】
ステップＳ４６において、制御装置４１は、ステップＳ４３からカウントを開始した時間（経過時間）が撮影設定時間より大きいか否かを判定する。経過時間が撮影設定時間以下であると判定された場合、制御装置４１は、処理をステップＳ４４に戻し、それ以降の処理を繰り返す、すなわち、撮影開始ボタンの押下案内を表示したまま、ユーザが撮影ボタンを押下するまで待機する。
【００８６】
ステップＳ４５でユーザによる撮影ボタンの押下を検出したと判定された場合、または、ステップＳ４６で経過時間が撮影設定時間より大きいと判定された場合、制御装置４１は、処理をステップＳ４７に進める。
【００８７】
ステップＳ４７において、照明装置２２は、制御装置４１の指令により内部に有するフラッシュを点灯する。
【００８８】
ステップＳ４８において、カメラ２１は、制御装置４１の指令により被写体を撮影する。
【００８９】
ステップＳ４９において、制御装置４１は、ステップＳ４８でカメラ２１が撮影した画像をモニタ２６上に表示する。
【００９０】
ステップＳ５０において、制御装置４１は、ユーザが、落書き入力を行う画像としてステップＳ４９で表示された画像を保存すると指示したか否かを判定する。ユーザが、画像を保存しない、すなわち、撮影をやり直したいと指示した場合、制御装置４１は、処理をステップＳ５１に進める。
【００９１】
ステップＳ５１において、制御装置４１は、いままでの合計の撮影回数が８より小さいか否かを判定する。ユーザは、撮影を７回までやり直すことができる。制御装置４１は、撮影回数が８より小さいと判定した場合、処理をステップＳ５２に進める。
【００９２】
ステップＳ５２において、制御装置４１は、撮影設定時間のカウント（ステップＳ４３で開始したカウント）をリセットする。そして、制御装置４１は、処理をステップＳ４４に戻し、それ以降の処理を繰り返す。したがって、ユーザは、１回あたりの撮影設定時間内に最大７回まで撮影をやり直すことができる。
【００９３】
ステップＳ５０で、ユーザが画像を保存すると指示した場合、または、ステップＳ５１で撮影回数が８以上と判定された場合、制御装置４１は、ステップＳ５３において、撮影画像を保存し、撮影処理を終了する。
【００９４】
次に、図８のフローチャートを参照して、図４のステップＳ４において実行される１番目の落書き項目階層表示処理の詳細について説明する。
【００９５】
ステップＳ７１において、制御装置４１は、第１の階層のメニューを説明するメッセージを表示する。図９は、このとき表示される画面例を示しており、モニタ２６の右上には、カメラ２１で撮影した撮影画像１２１が表示され、その上側に、現在落書き処理中であることを示す「落書き中！」メッセージ１２２が表示されている。また、制御装置４１は、撮影画像１２１の下側に、「スタンプ」ボタン１２４を表示し、さらに、その左側に「スタンプを使ってみてね！」のメッセージ１２５を表示することにより、現在「スタンプ」メニューの落書き処理中であることを説明している。モニタ２６の左下には、ユーザの指示によって所定時間前でも次の画面に進むことができるための「次へ」ボタン１２６が表示され、モニタ２６の左上には、「あと３０秒」というように１番目の落書き項目に対する制限時間表示１２３を行っている。
【００９６】
ステップＳ７２において、制御装置４１は、落書きメニューの種類を表示する。図１０は、このとき表示される画面例を示している。図９と対応する部分については、同一の符号を付してあり、以下では、その説明は、適宜省略する。
【００９７】
制御装置４１は、モニタ２６上の左側中央に、「スタンプにはこれだけの種類があるよ！」のメッセージ１２５とともに、撮影画像１２１の下側に、「スタンプ（ノーマルスタンプ）」ボタン１２４、「オーロラスタンプ」ボタン１４１、「風船回転スタンプ」ボタン１４２、「ラインスタンプ」ボタン１４３、「虹色スタンプ」ボタン１４４、および「のびのびスタンプ」ボタン１４５の全ての種類を表示する。モニタ２６上の左上の制限時間表示１２３は、ステップＳ７１の時刻より１秒経過したので、「あと２９秒」というように表示されている。
【００９８】
ステップＳ７３において、制御装置４１は、ユーザが、例えば、「スタンプ」ボタン１２４を選択したことを検出すると、図１１に示されるようなスタンプ落書き入力画面に表示を変更し、その選択された落書き項目（「スタンプ」）の説明を表示する。すなわち、撮影画像１２１の下側には、「フレーム」ボタン１６１、「背景ブラシ」ボタン１６２、「ペン」ボタン１６３、「スタンプ」ボタン１２４、「オーロラスタンプ」ボタン１４１、「風船回転スタンプ」ボタン１４２、「ラインスタンプ」ボタン１４３、「虹色スタンプ」ボタン１４４、「のびのびスタンプ」１４５の９種類のボタンが表示されるが、「フレーム」ボタン１６１乃至「ペン」ボタン１６３は、いま「スタンプ」メニューの落書き処理中であるので、選択できないように処理されている。そして、「スタンプ」ボタン１２４が選択されたことに対応して、「ノーマルスタンプだよ！使ってみてね！」のメッセージ１２５が表示されている。
【００９９】
ステップＳ７４において、制御装置４１は、「ノーマルスタンプ」の種類のうち、サイズが一番大きい（以下、大サイズと称する）スタンプを表示する。図１１に示されるように、モニタ２６上の左側に大サイズスタンプツール１６４が表示されている。大サイズスタンプツール１６４のなかには、「猫スタンプ（大）」１６４−１、「犬スタンプ（大）」１６４−２、「熊１スタンプ（大）」１６４−３、「熊２スタンプ（大）」１６４−４、「バス１スタンプ（大）」１６４−５、「飛行機１スタンプ（大）」１６４−６などの種類のスタンプが表示され、さらにツールバー１６４−７を操作することにより、他の種類のスタンプを表示、および選択することができる。制限時間表示１２３には、図１０の時刻より２秒経過して「あと２７秒」と表示されている。
【０１００】
所定時間（１秒）が経過すると、ステップＳ７５において、制御装置４１は、「ノーマルスタンプ」の種類のうち、サイズが二番目に大きい（以下、中サイズと称する）スタンプを表示する。そして、さらに所定時間（１秒）が経過すると、ステップＳ７６において、制御装置４１は、「ノーマルスタンプ」の種類のうち、サイズが一番小さい（以下、小サイズと称する）スタンプを表示する。
【０１０１】
図１２は、ステップＳ７６における制御装置４１が表示する画面例である。図１１と対応する部分については、同一の符号を付してあり、以下では、その説明は省略する。大サイズスタンプツール１６４の右隣には、中サイズスタンプツール１７１が表示されている。すなわち、「猫スタンプ（中）」１７１−１、「犬スタンプ（中）」１７１−２、「熊１スタンプ（中）」１７１−３、「熊２スタンプ（中）」１７１−４、「バス１スタンプ（中）」１７１−５、「飛行機１スタンプ（中）」１７１−６などの種類のスタンプが表示され、さらにツールバー１７１−７を操作することにより、他の種類のスタンプを表示、および選択することができる。
【０１０２】
また、中サイズスタンプツール１７１の右隣には、小サイズスタンプツール１８１が表示されている。すなわち、「猫スタンプ（小）」１８１−１、「犬スタンプ（小）」１８１−２、「熊１スタンプ（小）」１８１−３、「熊２スタンプ（小）」１８１−４、「バス１スタンプ（小）」１８１−５、「飛行機１スタンプ（小）」１８１−６などの種類のスタンプが表示され、さらにツールバー１８１−７を操作することにより、他の種類のスタンプを表示、および選択することができる。制限時間表示１２３には、図１１の時刻より２秒経過して「あと２５秒」と表示されている。
【０１０３】
ユーザは、上述のスタンプの種類およびサイズのなかから、１つのスタンプを選択すると、制御装置４１は、ステップＳ７７において、その選択されたスタンプの表示色を決定するための色選択の画面を表示する。そして、ユーザが、スタンプの表示色を決定すると、制御装置４１は、１番目の落書き項目階層表示処理を終了し、図４のステップＳ５に処理を戻す。
【０１０４】
上述の例では、１番目の落書き項目として「スタンプ」、２番目の落書き項目として「ペン」、および３番目の落書き項目として「背景ブラシ」をそれぞれ階層表示するようにしたが、他の落書き項目（例えば、「フレーム」）などであってもよいし、落書き項目の数を４つ、または５つというように増やして表示するようにしてもよい。
【０１０５】
以上のように、制御装置４１が、階層構造になされる落書き項目を、時間の経過とともに順番に表示させることにより、ユーザは、ペン、スタンプなどの落書き項目を選択する時間が省け、煩雑な操作をすることなく短時間で好みのメニューを選択することができる。
【０１０６】
次に、図１３のフローチャートを参照して、図５のステップＳ１８における印刷処理の詳細について説明する。
【０１０７】
ステップＳ９１乃至ステップＳ９６の処理は、シート紙４９に印刷される分割数の設定を決定する処理であり、図６のステップＳ３１乃至ステップＳ３６の処理と同様であるので、その説明は省略する。この処理は、図６で上述した撮影処理か、または、印刷処理のうちの、どちらか一方にあればよい。
【０１０８】
ステップＳ９７において、プリンタ４５は、制御装置４１の指令により、シート紙４９にステップＳ９６で保存された分割数で印刷する。
【０１０９】
ステップＳ９８において、プリンタ４５は、印刷したシール紙４９をシール取り出し口２３に排出して、印刷処理を終了する。
【０１１０】
次に、上述の階層表示処理に、落書き機能の使用頻度（状態）からユーザの落書きレベルを推測し、ユーザの落書きレベルに合わせて階層表示を変更する学習機能を付加した実施の形態について説明する。
【０１１１】
初めに、図１４と図１５を参照して、ユーザの落書きレベル推測の基本概念について説明する。
【０１１２】
図１４Ａは、モニタ２６上に表示された撮影画像１９１を示しており、ユーザは、はじめに所定の時間（例えば、３０秒）を与えられ、この撮影画像１９１に落書き入力を施し、図１４Ｂに示されるような落書き入り撮影画像１９２を作成したとする。
【０１１３】
図１４に示される撮影画像１９１から落書き入り撮影画像１９２が出来るまでの、ユーザの落書き入力状態は、例えば、図１５に示されるように遷移していると考えることができる。すなわち、落書き入力開始からアイドル時間Ｔ１を経て、ペンを選択する（ステップＳ１２１）。そして、ペンを選択してからアイドル時間Ｔ２だけ経過後、実際にペンを使用する（ステップＳ１２２）。ペンを使用した後、アイドル時間Ｔ３だけ経過したところで、スタンプを選択する（ステップＳ１２３）。スタンプを選択後、アイドル時間Ｔ４だけ経過したところで、実際にスタンプを使用する（ステップＳ１２４）。そして、スタンプを使用後、アイドル時間Ｔ５が経過したところで、別の種類のスタンプを使用し（ステップＳ１２５）、そのスタンプの使用中に所定の落書き時間が終了したとする。このときのアイドル時間Ｔ１乃至Ｔ５は、例えば、どのメニュー（ペン、スタンプなど）を使用するか考えている時間であったり、どのように落書き入力を行うか考える時間であったりする。
【０１１４】
アイドル合計時間Ｔｓｕｍは、次式のように計算することが出来る。
アイドル合計時間Ｔｓｕｍ＝Ｔ１＋Ｔ２＋Ｔ３＋Ｔ４＋Ｔ５
従って、はじめに与えられた所定時間（例えば、３０秒）のうちの、アイドル合計時間Ｔｓｕｍの占める比率（Ｔｓｕｍ／３０）を１から引いた値（１−Ｔｓｕｍ／３０）を使用頻度（状態）として、ユーザの落書きレベルを推測することができる。なぜなら、落書きレベルの高いユーザ（上級者）は、アイドル時間を置かずに、多種のメニューを駆使して落書きすると考えられるし、落書きレベルの低いユーザ（初心者）は、何を書こうか迷うあまり、アイドル時間が長くなってしまうと考えられるからである。そこで、制御装置４１は、例えば、上述の値（１−Ｔｓｕｍ）が、所定時間の７０％以上（１−Ｔｓｕｍ／３０≧０．７）である場合のユーザを上級者、所定時間の５０％以上（１−Ｔｓｕｍ／３０≧０．５）である場合のユーザを中級者、および所定時間の５０％より小さい（１−Ｔｓｕｍ／３０＜０．５）場合のユーザを初心者と区別することができる。
【０１１５】
図１６のフローチャートを参照して、上述の学習機能付き階層表示処理について説明する。
【０１１６】
ステップＳ１５１乃至ステップＳ１５３の処理は、図４のステップＳ１乃至ステップＳ３の処理と同様であるので、その説明は省略するが、ここまでの処理では、制御装置４１は、コインが投入された後、撮影処理を行い、落書き処理の時間のカウントを開始する。
【０１１７】
ステップＳ１５４において、制御装置４１は、モニタ２６に落書きメニューを階層表示する。
【０１１８】
図１７は、このときに表示される画面の例を示しており、ユーザの落書きレベルは、標準として中級者を想定した画面となされている。上述の画面例と対応する部分については、同一の符号を付してあり、以下ではその説明は適宜省略する。
【０１１９】
モニタ２６の画面下側半分には、第１の階層としての「背景ブラシ」ボタン１６２、「フレーム」ボタン１６１、「ペン」ボタン１６３、および「スタンプ」ボタン１２４が縦列に配置されている。そのなかで「スタンプ」ボタン１２４が選択されており、第１の階層が表示されている列の右側には、「スタンプ」ボタン１２４の第２の階層として、「オーロラスタンプ」ボタン１４１、「のびのびスタンプ」ボタン１４５、「虹色スタンプ」ボタン１４４、および「風船回転スタンプ」１４２が縦列に配置されている。「風船回転スタンプ」１４２が選択されると、画面左側に「風船回転スタンプ」１４２の第３の階層として、「星形（柄）」８４、「丸形（柄）」８５、「四角形（柄）」８６、「三角形（柄）」８７、「星形」１０６、「長丸形」１０７、「四角形」１０８、および、「三角形」１０９などの落書き項目が表示される。
【０１２０】
さらに、第２の階層が表示されている列の右側には、上級者のための「色選択パレット」ボタン２０１が表示されている。このボタンがユーザにより押下されると、第４の階層として図３を参照して説明した「赤」ボタン６６、「黄」ボタン６７、「緑」ボタン６８、または「青」ボタン６９などが選択できるようになるが、標準レベルの画面では、ユーザが指定する落書き項目が多くなりすぎるので、ユーザが選択するまで表示されないようになされている。
【０１２１】
画面右下に表示されている「終了」ボタン２０２は、ユーザが制限時間前に落書き処理を終了したい場合に押下するボタンであり、このボタンが押下されると、印刷処理に進むことができる。
【０１２２】
ステップＳ１５５において、制御装置４１は、ユーザの落書き入力を受け付ける。そして、ステップＳ１５６において、ステップＳ１５３から時間が所定時間、例えば、３０秒経過したか否かが判定される。ステップＳ１５３の開始時刻から所定時間（３０秒）がまだ経過していないと判定された場合、制御装置４１は、処理をステップＳ１５５に戻し、それ以降の処理を繰り返す。すなわち、ステップＳ１５５とステップＳ１５６の処理においては、所定時間（３０秒）のあいだ、ユーザが標準的な階層を有するメニューで自由な落書き入力が可能となる。
【０１２３】
ステップＳ１５７において、制御装置４１は、所定時間（３０秒）のうちのアイドル合計時間Ｔｓｕｍを計算する。
【０１２４】
ステップＳ１５８において、制御装置４１は、アイドル合計時間Ｔｓｕｍが所定時間の７０％以上であるか否かを判定する。所定時間とアイドル合計時間Ｔｓｕｍとの比率が７０％以上であると判定された場合、制御装置４１は、処理をステップＳ１５９に進める。
【０１２５】
一方、アイドル合計時間Ｔｓｕｍが所定時間の７０％より小さいと判定された場合、制御装置４１は、処理をステップＳ１６１に進め、さらにその比率が５０％以上であるか否かを判定する。
【０１２６】
ステップＳ１５８で、アイドル合計時間Ｔｓｕｍが所定時間の７０％以上であると判定された場合、制御装置４１は、ユーザを初心者であると推測し、ステップＳ１５９において、落書きメニューの階層を減らす（中級者用の場合に較べて）処理を行う。
【０１２７】
ステップＳ１６０において、制御装置４１は、ステップＳ１５９で減らした落書きメニューのうち、最新機能を先頭にしてメニューをモニタ２６に階層表示する。
【０１２８】
図１８は、このときに表示される初心者向けの画面の例を示している。図１７の画面例と対応する部分については、同一の符号を付してあり、以下ではその説明は適宜省略する。
【０１２９】
画面上の第１の階層の表示は、図１７と同様であるが、その右隣に表示されていた第２の階層である「オーロラスタンプ」１４１乃至「のびのびスタンプ」１４５ボタンが非表示となり、「全スタンプ種類表示」ボタン２１１に変更されている。第２の階層は、制御装置４１がステップＳ１６０の処理に従って、最新機能の「風船スタンプ」１４２を選択している。そのため、画面左側の第３の階層の落書き項目の表示は、「風船スタンプ」１４２に属する落書き項目のみが表示されるように変更されている。また、制御装置４１は、第２の階層として最新機能の「風船スタンプ」１４２を選択する代わりに、上述のステップＳ１５５の標準画面での落書き処理において、ユーザが使用した落書き項目のみを表示させるようにしてもよい。
【０１３０】
ユーザは、「全スタンプ種類表示」ボタン２１１と「色選択パレット」ボタン２０１を押下して、詳細な落書き項目を表示、および選択することも可能である。
【０１３１】
ステップＳ１６１で、アイドル合計時間Ｔｓｕｍが所定時間の５０％以上であると判定された場合、すなわち、アイドル合計時間Ｔｓｕｍが所定時間の５０％以上で７０％より小さい場合、ステップＳ１６２において、制御装置４１は、ユーザを中級者であると推測する。この場合、表示される画面は上述した図１７に示される標準画面がそのまま採用される。
【０１３２】
ステップＳ１６１で、所定時間のうちのアイドル合計時間Ｔｓｕｍの占める比率が５０％より小さいと判定された場合、ステップＳ１６３において、制御装置４１は、ユーザを上級者であると推測し、落書きメニューの階層を１段階増やす（中級者用の場合に較べて）処理を行う。
【０１３３】
ステップＳ１６４において、制御装置４１は、ステップＳ１６３で１段階増やした落書きメニューをモニタ２６に階層表示する。
【０１３４】
図１９は、このときに表示される画面の例を示している。図１７の画面例と対応する部分については、同一の符号を付してあり、以下ではその説明は適宜省略する。
【０１３５】
図１７で示した中級者向けの画面例と比較すると、図１７において「色選択パレット」ボタン２０１として表示されていた領域に、「赤」ボタン６６、「黄」ボタン６７、「緑」ボタン６８、または「青」ボタン６９などの詳細な色指定が選択できるようになされている。したがって、上級者向けの画面は、全てのメニューが選択可能なように表示されている。
【０１３６】
ステップＳ１６０，Ｓ１６２，またはＳ１６４の処理の後、ステップＳ１６５において、制御装置４１は、ユーザの落書き入力を受け付ける。そして、ステップＳ１６６において、残時間が０より大きい、すなわち、制限時間の残り時間を有しているか否かが判定され、残時間が０になったと判定されるまで、ステップＳ１６５の処理が繰り返される。すなわち、ユーザの落書き入力が継続される。
【０１３７】
ステップＳ１６７において、制御装置４１は、印刷処理を行う。この処理の詳細は、上述した図１３の印刷処理と同様であるので、その説明は省略する。
【０１３８】
以上の例では、アイドル合計時間Ｔｓｕｍを使用してユーザの落書きレベルを推測したが、その他、例えば、ユーザが第１乃至第３の階層の落書き項目を選択した回数のカウント数に基づいて、ユーザの落書きレベルを推測してもよい。
【０１３９】
以上のように、ユーザの落書きレベルに応じてメニューの階層の数を増減して表示することにより、初心者のユーザは、メニューを迷うことなく簡単な操作で使用することができ、一方、上級者のユーザは、十分な数の落書き項目を簡単な操作で使用することができる。
【０１４０】
次に、図２０のフローチャートを参照して、制御装置４１のお勧め機能付き階層表示処理について説明する。お勧め機能とは、ユーザが最初の一定時間、自由に落書き入力を行った後に、制御装置４１が、ユーザに様々な落書き項目を勧める機能である。
【０１４１】
ステップＳ２０１乃至ステップＳ２０５の処理は、図１６のステップＳ１５１乃至ステップＳ１５５の処理と同様であるので、その説明は省略するが、ここまでの処理では、制御装置４１は、コインが投入された後、撮影処理を行い、ユーザの落書き入力を受け付ける処理を行う。
【０１４２】
ステップＳ２０６において、制御装置４１は、ステップＳ２０３の落書き処理開始から所定の時間が経過したか否かが判定される。この経過時間は、例えば、落書き処理全体の設定時間が１８０秒とすると、例えば、１２０秒とすることができる。経過時間が１２０秒に達していないと判定された場合、制御装置４１は、処理をステップＳ２０５に戻し、ユーザの落書き入力を受け付ける。すなわち、ユーザの落書き入力が継続される。
【０１４３】
ステップＳ２０６で、経過時間が１２０秒に達していると判定された場合、制御装置４１は、処理をステップＳ２０７に進め、ユーザにお勧めの落書き項目を識別できるよう表示するために、その落書き項目を赤枠で囲む表示を行う。
【０１４４】
ステップＳ２０８において、制御装置４１は、お勧め落書き項目の案内表示を行う。
【０１４５】
図２１は、お勧め落書き項目（識別できるよう表示する落書き項目）が「のびのびスタンプ」１４５である場合のステップＳ２０７における赤枠で囲む表示の処理と、ステップＳ２０８における案内表示の処理の画面例を示している。なお、上述の図１２と対応する部分については、同一の符号を付してあり、以下では、その説明は省略する。
【０１４６】
制御装置４１は、赤枠２３１を表示させており、赤枠２３１は、「のびのびスタンプ」１４５を赤い枠で囲んでいる。そして、モニタ２６の画面上左側には、制御装置４１がお勧めした「のびのびスタンプ」１４５の、のびのびスタンプツール２３２が表示されている。のびのびスタンプツール２３２の種類には、「ロボットのびのびスタンプ」２３２−１、「飛行機２のびのびスタンプ」２３２−２、「車１のびのびスタンプ」２３２−３、「バス２のびのびスタンプ」２３２−４、「電車のびのびスタンプ」２３２−５、「車２のびのびスタンプ」２３２−６などが有り、さらに、ツールバー２３２−７を操作することにより、その他の種類も表示されるようになされている。
【０１４７】
さらに制御装置４１は、ユーザにお勧めの落書き項目を識別できるよう表示する処理の一環としてモニタ２６の画面左下に案内表示２３４を表示している。案内表示２３４は、「スタンプが伸びるよ！」のメッセージとともに、「のびのびスタンプ」１４５を使用した場合の使用例（どのように伸びるか）が表示されている。また、のびのびスタンプツール２３２の「ロボットのびのびスタンプ」２３２−１の右側には、「ロボットのびのびスタンプ」２３２−１を矢印で指し示すヒントマーク２３３が表示され、制御装置４１は、案内表示２３４の説明が、「ロボットのびのびスタンプ」２３２−１を使用した場合の例であることを示している。
【０１４８】
ステップＳ２０９において、制御装置４１は、「のびのびスタンプ」１４５を使用した、ユーザの落書き入力を受け付ける。
【０１４９】
ステップＳ２１０において、制御装置４１は、落書き処理の残時間がゼロとなったか否かを判定し、落書き処理の残時間がゼロでないと判定された場合、処理をステップＳ２１１に進める。
【０１５０】
ステップＳ２１１において、制御装置４１は、「終了」ボタン２０２が押されたか否かを判定する。「終了」ボタン２０２が押されていないと判定された場合、制御装置４１は、処理をステップＳ２０９に戻し、ユーザの落書き入力を継続させる。
【０１５１】
ステップＳ２１０で落書き処理の残時間がゼロであると判定された場合、または、ステップＳ２１１で「終了」ボタン２０２が押されたと判定された場合、制御装置４１は、処理をステップＳ２１２に進め、印刷処理を行う。
【０１５２】
ステップＳ２１２において、制御装置４１は、印刷処理を行う。この処理の詳細は、上述した図１３の処理と同様であるので、その説明は省略する。
【０１５３】
上述の例では、お勧め機能として、お勧めの落書き項目を識別できるよう表示する例として、赤枠で囲む表示とする例について説明したが、これ以外にも、例えば、お勧めの落書き項目を点滅させる、または、お勧めの落書き項目を矢印で指定する、などの表示とすることもできる。
【０１５４】
また、上述のフローチャートでは、「のびのびスタンプ」１４５のみをユーザに勧める例を示したが、これに限らず、他の落書き項目、例えば、「風船回転スタンプ」１４２などであってもよいし、また、複数の落書き項目を順次勧めるようにしてもよい。
【０１５５】
以上のように、ユーザが所定の時間だけ自由に落書き入力を行った後に、お勧め機能として各種の落書き項目を分かりやすく表示させることにより、ユーザは、まだ使用していない落書き項目があるかの確認が出来、短時間の間に、より多くのメニューを使用した落書き入力ができる。
【０１５６】
次に、図２２と図２３のフローチャートを参照して、制御装置４１の順番指定機能付き階層表示処理について説明する。上述の図４と図５の階層表示処理の例では、１番目の落書き項目を「スタンプ」、２番目の落書き項目を「ペン」、および３番目の落書き項目を「背景ブラシ」というように、制御装置４１がその落書き項目の順番を指定していた。しかし、ユーザは、自分が最も使いたい落書き項目を先に使用したいと考えることもある。そこで、順番指定機能は、落書き項目の表示の順番を、ユーザが指定することができるようにする機能である。
【０１５７】
ステップＳ２３１乃至ステップＳ２３３の処理は、図４のステップＳ１乃至ステップＳ３の処理と同様であるので、その説明は省略するが、ここまでの処理では、制御装置４１は、コインが投入された後、撮影処理を行い、落書き処理の時間のカウントを開始する。
【０１５８】
ステップＳ２３４において、制御装置４１は、図２４に示されるような落書き項目の表示順番指定画面をモニタ２６に表示させる。モニタ２６上の画面中央には、「落書きする順番を指定できるよ！」のメッセージ１２５とともに、６種類の表示順番が選択できるように落書き項目が表示されている。その６種類とは、「ペン⇒スタンプ⇒フレーム」の落書き項目２５１、「ペン⇒フレーム⇒スタンプ」の落書き項目２５２、「スタンプ⇒ペン⇒フレーム」の落書き項目２５３、「ペン［中心］⇒スタンプ⇒フレーム」の落書き項目２５４、「スタンプ［中心］⇒ペン⇒フレーム」の落書き項目２５５、または「フレーム［中心］⇒ペン⇒スタンプ」の落書き項目２５６である。なお、「⇒」は順番を表す。
【０１５９】
ユーザは、上述の６種類の落書き項目のなかからいずれか１つを、落書きペン２５ａまたは２５ｂで画面上から選択し、「ＯＫ」ボタン２５８を押下すると、制御装置４１は、ステップＳ２３５において、選択された表示順に合わせるように、制御装置４１内部の設定を行う。なお、「指定しない」ボタン２５７が、ユーザにより選択された場合には、制御装置４１は、デフォルトの順番、例えば、「ペン⇒スタンプ⇒フレーム」の落書き項目２５１の順番とする。
【０１６０】
ステップＳ２３６乃至ステップＳ２５０の処理は、図４および図５のステップＳ４乃至ステップＳ１８の処理と、表示する落書き項目の種類および順番と、それぞれの落書き項目に割り当てられた時間配分が違うこと以外は、同様であるので、その説明は省略する。以下に、その差異部分について説明する。
【０１６１】
ユーザが、図２４の画面において、「ペン⇒スタンプ⇒フレーム」の落書き項目２５１の順番を指定した場合、ステップＳ２３６における１番目の落書き項目階層表示処理は、「ペン」について階層表示される。また、ステップＳ２４１における２番目の落書き項目階層表示処理は、「スタンプ」について階層表示され、ステップＳ２４６における３番目の落書き項目階層表示処理は、「フレーム」について階層表示される。そして、ステップＳ２３９、ステップＳ２４４、およびステップＳ２４８においてカウントされる、それぞれの落書き項目に割り当てられる時間は、それぞれ同じ４０秒とされる。
【０１６２】
ユーザが、「ペン⇒フレーム⇒スタンプ」の落書き項目２５２の順番を指定した場合、ステップＳ２３６における１番目の落書き項目階層表示処理は、「ペン」について階層表示される。また、ステップＳ２４１における２番目の落書き項目階層表示処理は、「フレーム」について階層表示され、ステップＳ２４６における３番目の落書き項目階層表示処理は、「スタンプ」について階層表示される。そして、ステップＳ２３９、ステップＳ２４４、およびステップＳ２４８においてカウントされる、それぞれの落書き項目に割り当てられる時間は、「ペン⇒スタンプ⇒フレーム」２１１の場合と同様に、それぞれ４０秒とされる。
【０１６３】
ユーザが、「スタンプ⇒ペン⇒フレーム」の落書き項目２５３の順番を指定した場合、ステップＳ２３６における１番目の落書き項目階層表示処理は、「スタンプ」について階層表示される。また、ステップＳ２４１における２番目の落書き項目階層表示処理は、「ペン」について階層表示され、ステップＳ２４６における３番目の落書き項目階層表示処理は、「フレーム」について階層表示される。そして、ステップＳ２３９、ステップＳ２４４、およびステップＳ２４８においてカウントされる、それぞれの落書き項目に割り当てられる時間は、上述の２種類と同様に、それぞれ４０秒とされる。
【０１６４】
一方、図２４の画面例の下側の３種類、すなわち、「ペン［中心］⇒スタンプ⇒フレーム」の落書き項目２５４、「スタンプ［中心］⇒ペン⇒フレーム」の落書き項目２５５、および「フレーム［中心］⇒ペン⇒スタンプ」の落書き項目２５６は、各ステップにおける落書き項目の表示順番は、上述の３種類と同じであるが、落書き項目に割り当てられる時間配分が、［中心］と表示されている落書き項目について、例えば、６０秒というように多く配分され、さらに階層表示についても全種類の表示が行われるようにして、ユーザが十分に落書きできるようになされている。逆に、その他の「スタンプ」と「フレーム」の落書き項目は、割り当てられる時間を３０秒と少なくされ、表示する落書き項目も、定番のもの（使用頻度が高いもの）に絞るなど、少ない表示とされる。また、「スタンプ［中心］⇒ペン⇒フレーム」の落書き項目２５５と「フレーム［中心］⇒ペン⇒スタンプ」の落書き項目２５６においても同様に、制御装置４１は、スタンプ［中心］とフレーム［中心］には、６０秒の時間を配分し、表示する落書き項目も全種類にして、２番目および３番目の落書き項目には、３０秒の時間を配分し、落書き項目も少なくするようにする。
【０１６５】
なお、表示する落書き項目の種類と順番は、上述の例に限らず、その他の落書き項目としてもよいし、他の順番でもよい。
【０１６６】
以上のように、表示する落書き項目の順番を選択できるようにすることにより、ユーザが使用したい落書き項目を先に選択することができるので、ユーザは、短時間の間でも、個性に合わせた落書きをすることができる。
【０１６７】
次に、図２５のフローチャートを参照して、スライド機能付き階層表示処理について説明する。スライド機能とは、時間の経過とともに、落書き項目がスライド形式で表示され、ユーザは、第１の階層（ペン、スタンプ、など）を指定するだけで、第２、第３の階層の落書き項目が制御装置４１により自動的に設定されるため、様々な種類の落書き項目を使った落書きが可能になる機能のことをいう。
【０１６８】
ステップＳ２７１乃至ステップＳ２７６の処理は、図２０のステップＳ２０１乃至ステップＳ２０６の処理と同様であるので、その説明は省略するが、ここまでの処理では、制御装置４１は、コインが投入された後、撮影処理を行い、落書き処理の時間のカウントを開始し、６０秒間の間、ユーザの落書き入力を受け付ける。
【０１６９】
ステップＳ２７６で、ユーザの落書き入力の時間（経過時間）が６０秒に達していると判定された場合、制御装置４１は、処理をステップＳ２７７に進め、落書き機能としてスライド機能を設定する。
【０１７０】
第１の階層の落書き項目のなかから、例えば「ペン」６１がユーザにより選択されたとすると、ステップＳ２７８において、制御装置４１は、その選択を検出する。
【０１７１】
ステップＳ２７９において、制御装置４１は、「ペン」６１の第２の階層の複数の落書き項目のなかから、例えば「水玉」６２を選択する。
【０１７２】
さらに、ステップＳ２８０において、制御装置４１は、「ペン」６１の第３の階層の複数の落書き項目のなかから、例えば「赤」６６を選択する。このように、第１の階層の落書き項目がユーザにより指定されると、下位の第２の階層と第３の階層の落書き項目は、制御装置４１が自動的に決定する。
【０１７３】
ステップＳ２８１において、制御装置４１は、ユーザの落書き入力を受け付ける。初期状態として「ペン」６１−「水玉」６２−「赤」６６の組み合わせが既に選択されているので、ユーザは、その組み合わせで、落書き入力を行う。勿論、ユーザは、必要に応じて落書きペン２５ａ，２５ｂを操作して、下位の（第２の階層と第３の階層の）落書き項目を手動で設定、変更することもできる。
【０１７４】
ステップＳ２８２において、落書き処理の残時間がゼロに等しいか否かが判定され、ゼロに等しくない、すなわち、まだ残時間を有すると判定された場合、制御装置４１は、処理をステップＳ２８１に戻し、ユーザの落書き入力が継続される。
【０１７５】
一方、ステップＳ２８２において、落書き処理の残時間がないと判定された場合、制御装置４１は、処理をステップＳ２８３に進め、印刷処理を行う。この処理の詳細は、上述した図１３の印刷処理と同様であるので、その説明は省略する。
【０１７６】
図２６は、上述のスライド機能付き階層表示処理の場合、モニタ２６に表示される画面例を示している。図２１と対応する部分については、同一の符号を付してあり、その説明は省略する。
【０１７７】
モニタ２６の画面上の左側約半分は、メニュー表示領域２８１となっており、ユーザが、撮影画像１２１の下側に配置されている各ボタンのなかから、例えば、「ペン」ボタン１６３を選択すると、制御装置４１は、図２７Ａに示されるようなペンパレット２９１を表示し、「水玉」６２−「赤」６６を初期状態として自動的に選択する。また、例えば、ユーザが「スタンプ」ボタン１２４を選択した場合、制御装置４１は、図２７Ｂに示されるようなスタンプパレット２９２を表示し、「オーロラ」１０２−「星形」１０６を初期状態として自動的に選択する。また、ユーザが「背景ブラシ」ボタン１６２を選択した場合、制御装置４１は、図２７Ｃに示されるような背景ブラシパレット２９３を表示し、「柄」８２−「星形（柄）」８４を初期状態として自動的に選択する。
【０１７８】
上述のフローチャートの例では、「ペン」６１が選択された場合、制御装置４１は、初期状態としての組み合わせを「水玉」６２−「赤」６６の１種類の組み合わせに固定したが、例えば、「プラスチック」６３−「黄」６７、「ギザギザ」６４−「緑」６８というように、第２および第３の階層の組み合わせを、一定の時間間隔で順次変更していくようにすることができる。
【０１７９】
また、例えば、スタンプパレット２９２が表示された場合、第２および第３の階層として表示される落書き項目は、４種類と限らず、さらに５，６種類などのように増やすことも可能である。
【０１８０】
さらに、複数の種類を表示する（並べる）ときの順番は、最新の（時期的に、最も新しく導入された）落書き項目（例えば、「風船回転」１０５）の順番とするようにしたり、定番の（使用頻度が最も高い）落書き項目（例えば、半透明のスタンプ）の順番とするようにしたりすることができる。最新あるいは定番の落書き項目は、ユーザが使用してみたいと考えることが多いので、このようにすれば、ユーザは、上から順番に選択するだけで、迅速に所望の落書き項目を選択することができる。
【０１８１】
以上のように、制御装置４１が、第２および第３の階層の落書き項目を自動的に選択することにより、ユーザは、多種類の落書き項目に迷うことなく、簡単に、落書き入力をすることができる。
【０１８２】
図２８は、上述した写真シール販売機１により作成される印刷媒体（シール紙）４９の例を示す図である。
【０１８３】
図２８Ａは、例えば、ユーザにより６分割のシール紙が選択された場合の印刷媒体を示す図である。この例のシール紙には、ユーザによって落書きされた１種類の画像が印刷されている。
【０１８４】
図２８Ｂは、例えば、ユーザにより混合分割のシール紙が選択された場合の印刷媒体を示す図である。この例のシール紙には、ユーザによって落書きされた２種類の画像が印刷されている。
【０１８５】
以上において、印刷媒体は、シール紙に限られるものではなく、例えば、所定のサイズの紙や、ポスター用の紙などに印刷するようにしてもよい。また、撮影し編集した画像データを、ユーザが自ら用意したフレキシブルディスクなどの記録媒体に記録させることができるようにしてもよい。なお、そのような印刷媒体や記録媒体の場合も、この写真シール販売機１において利用可能とされる識別情報により管理されている。
【０１８６】
【発明の効果】
以上のごとく本発明によれば、迅速に、かつ簡単な操作で多様な落書き入力を行うことができる。
【図面の簡単な説明】
【図１】本発明を適用した写真シール販売機の外観の構成例を示す斜視図である。
【図２】図１の写真シール販売機の構成例を示すブロック図である。
【図３】落書き項目の階層構造を説明する図である。
【図４】写真シール販売機の階層表示処理を説明するフローチャートである。
【図５】写真シール販売機の階層表示処理を説明するフローチャートである。
【図６】図４のステップＳ２における撮影処理の詳細を説明するフローチャートである。
【図７】図４のステップＳ２における撮影処理の詳細を説明するフローチャートである。
【図８】図４のステップＳ４における１番目の落書き項目階層表示処理の詳細を説明するフローチャートである。
【図９】図８のステップＳ７１における落書きメニュー画面の表示例を示す図である。
【図１０】図８のステップＳ７２における落書きメニュー画面の表示例を示す図である。
【図１１】図８のステップＳ７３とステップＳ７４における落書きメニュー画面の表示例を示す図である。
【図１２】図８のステップＳ７６におけるモニタの表示例を示す図である。
【図１３】図５のステップＳ１８における印刷処理の詳細を説明するフローチャートである。
【図１４】ユーザの落書きレベル推測の基本概念を説明する図である。
【図１５】ユーザの落書きレベル推測の基本概念を説明する図である。
【図１６】写真シール販売機の学習機能付き階層表示処理を説明するフローチャートである。
【図１７】図１６の学習機能付き階層表示処理における標準および中級者用の落書きメニュー画面の表示例を示す図である。
【図１８】図１６の学習機能付き階層表示処理における初心者用の落書きメニュー画面の表示例を示す図である。
【図１９】図１６の学習機能付き階層表示処理における上級者用の落書きメニュー画面の表示例を示す図である。
【図２０】写真シール販売機のお勧め機能付き階層表示処理を説明するフローチャートである。
【図２１】図２０のステップＳ２０７とステップＳ２０８における落書きメニュー画面の表示例を示す図である。
【図２２】写真シール販売機の順番指定機能付き階層表示処理を説明するフローチャートである。
【図２３】写真シール販売機の順番指定機能付き階層表示処理を説明するフローチャートである。
【図２４】図２２のステップＳ２３４における表示順番指定画面の表示例を示す図である。
【図２５】写真シール販売機のスライド機能付き階層表示処理を説明するフローチャートである。
【図２６】図２５のスライド機能付き階層表示処理における画面の表示例を示す図である。
【図２７】図２６のメニュー表示領域に表示される落書きメニューの表示例を示す図である。
【図２８】シール紙の例を示す図である。
【符号の説明】
１　写真シール販売機
２１　カメラ
２２Ｌ，２２Ｒ　照明装置
２５ａ，２５ｂ　落書きペン
２６　モニタ
４１　制御装置
４２　記憶装置
４３　コイン投入部
４４　入力部
４５　プリンタ
４６　ＩＤタグリーダ／ライタ
４７　シール紙ユニット
４８　ＩＤタグ
４９　シール紙
【図１】
2004134921.tif 000003
【図２】
2004134921.tif 000004
【図３】
2004134921.tif 000005
【図４】
2004134921.tif 000006
【図５】
2004134921.tif 000007
【図６】
2004134921.tif 000008
【図７】
2004134921.tif 000009
【図８】
2004134921.tif 000010
【図９】
2004134921.tif 000011
【図１０】
2004134921.tif 000012
【図１１】
2004134921.tif 000013
【図１２】
2004134921.tif 000014
【図１３】
2004134921.tif 000015
【図１４】
2004134921.tif 000016
【図１５】
2004134921.tif 000017
【図１６】
2004134921.tif 000018
【図１７】
2004134921.tif 000019
【図１８】
2004134921.tif 000020
【図１９】
2004134921.tif 000021
【図２０】
2004134921.tif 000022
【図２１】
2004134921.tif 000023
【図２２】
2004134921.tif 000024
【図２３】
2004134921.tif 000025
【図２４】
2004134921.tif 000026
【図２５】
2004134921.tif 000027
【図２６】
2004134921.tif 000028
【図２７】
2004134921.tif 000029
【図２８】
2004134921.tif 000030